(57)【要約】  少なくとも一つの情報保存層を持つ再生専用情報記録媒体、データを記録／再生する方法及び装置が開示されている。  この開示された情報記録媒体は、少なくとも一つの情報保存層を持つ再生専用情報記録媒体において、少なくとも一つの情報保存層それぞれは、リードイン領域、ユーザデータを含むユーザデータ領域及びリードアウト領域を備え、リードイン領域及びリードアウト領域の位置が所定の固定位置に配置されており、記録媒体上に記録されたユーザデータが記録媒体の正規容量より少なく記録される時、ユーザデータが記録されて残った領域にはユーザデータ以外のデータが記録されることを特徴とする。
2007521605.tif 000002
【特許請求の範囲】
【請求項１】
少なくとも一つの情報保存層を持つ再生専用情報記録媒体において、
前記少なくとも一つの情報保存層それぞれは、リードイン領域、ユーザデータを含むユーザデータ領域及びリードアウト領域を備え、前記リードイン領域及びリードアウト領域の位置が所定の固定位置に配置されており、前記記録媒体上に記録されたユーザデータが記録媒体の正規容量より少なく記録される時、ユーザデータが記録されて残った領域にはユーザデータ以外のデータが記録されることを特徴とする情報記録媒体。
【請求項２】
前記情報保存層が複数層の記録層を持ち、データが順次に記録され、記録されて残った領域はユーザデータが最後に記録された記録層にあることを特徴とする請求項１に記載の情報記録媒体。
【請求項３】
前記ユーザデータが記録されて残った領域に、ダミーデータが記録されることを特徴とする請求項１に記載の情報記録媒体。
【請求項４】
前記ユーザデータが記録されて残った領域に、ユーザデータの記録終了位置情報が記録されることを特徴とする請求項１に記載の情報記録媒体。
【請求項５】
前記ユーザデータが記録されて残った領域に、前記ダミーデータの記録開始位置情報が記録されることを特徴とする請求項３に記載の情報記録媒体。
【請求項６】
前記データの記録終了位置情報が、前記リードイン領域に記録されることを特徴とする請求項１に記載の情報記録媒体。
【請求項７】
前記ユーザデータの記録終了位置情報が、前記リードイン領域にあるディスク関連情報が記録される領域に記録されることを特徴とする請求項６に記載の情報記録媒体。
【請求項８】
少なくとも一つの情報保存層を持つ再生専用情報記録媒体において、
前記少なくとも一つの情報保存層それぞれは、リードイン領域、ユーザデータを含むユーザデータ領域及びリードアウト領域を備え、前記リードイン領域及びリードアウト領域の位置が所定の固定位置に配置されており、記録媒体に記録されたユーザデータが正規容量より少なく記録される時、ユーザデータが記録されて残った領域がミラー領域として維持されることを特徴とする情報記録媒体。
【請求項９】
複数の情報保存層を持つ再生専用情報記録媒体において、
前記複数の情報保存層それぞれは、リードイン領域、ユーザデータを含むユーザデータ領域及びリードアウト領域を備え、記録媒体に記録されたユーザデータが正規容量より少なく記録される時、前記複数の情報保存層のうち再生順序上最後の情報保存層にあるリードアウト領域の位置が可変的になり、残りの他のリードイン領域及び／またはリードアウト領域の位置が対応する所定領域に固定されることを特徴とする情報記録媒体。
【請求項１０】
前記ユーザデータが最後に記録された位置情報が、ユーザデータが最後に記録された情報保存層にあるリードイン領域に記録されることを特徴とする請求項９に記載の情報記録媒体。
【請求項１１】
少なくとも一つの情報保存層を持ち、各層はリードイン領域、ユーザデータ領域及びリードアウト領域を備える再生専用情報記録媒体にデータを伝送する方法において、
前記リードイン領域とリードアウト領域との位置及び容量を固定させるステップと、
前記記録媒体に記録されたユーザデータが正規容量より少なく記録される時、ユーザデータが記録されて残った領域にユーザデータ以外のデータを記録するか、ミラー領域に維持させるステップとを含むことを特徴とする方法。
【請求項１２】
リードイン領域、ユーザデータ領域及びリードアウト領域を備える一つ以上の記録層を持つ再生専用情報記録媒体にデータを伝送する装置において、
前記情報記録媒体にビームを照射し、前記情報記録媒体から反射されたビームを受光するピックアップと、
前記情報記録媒体で反射されたビームを前記ピックアップを通じて受けて信号処理する記録／再生信号処理部と、
前記リードイン領域とリードアウト領域との所定の固定位置及び固定容量を伝送させ、記録媒体に記録されたユーザデータが正規容量より少なく記録される時、ユーザデータが記録されて残った領域にユーザデータ以外のデータを記録するか、ミラー領域として維持されるようにピックアップを制御する制御部とを備えることを特徴とする装置。
【請求項１３】
前記残り領域は、ミラー領域であることを特徴とする請求項１に記載の媒体。
【請求項１４】
ダミーデータが、残り領域に記録されることを特徴とする請求項９に記載の媒体。
【請求項１５】
ユーザデータの記録終了位置に関する情報が、残り領域に記録されることを特徴とする請求項９に記載の媒体。
【請求項１６】
前記ダミーデータの記録開始位置に関する情報が、残り領域に記録されることを特徴とする請求項１４に記載の媒体。
【請求項１７】
ユーザデータの記録終了位置に関する情報が、リードイン領域に記録されることを特徴とする請求項９に記載の媒体。
【請求項１８】
ユーザデータの記録終了位置に関する情報が、ディスク関連情報を含むリードイン領域に記録されることを特徴とする請求項１７に記載の媒体。
【請求項１９】
前記残り領域にダミーデータを記録するステップをさらに含むことを特徴とする請求項１１に記載の方法。
【請求項２０】
ユーザデータの記録終了位置に関する情報を、残り領域に記録するステップをさらに含むことを特徴とする請求項１１に記載の方法。
【請求項２１】
ダミーデータが始まる位置に関する情報を、残り領域に記録するステップをさらに含むことを特徴とする請求項１９に記載の方法。
【請求項２２】
ユーザデータの記録終了位置に関する情報を、リードイン領域に記録するステップをさらに含むことを特徴とする請求項１１に記載の方法。
【請求項２３】
ユーザデータの記録終了位置に関する情報を、ディスク関連情報を含むリードイン領域に記録するステップをさらに含むことを特徴とする請求項２２に記載の方法。
【請求項２４】
リードイン領域、第１領域にユーザデータを含んで残り領域を備えるユーザデータ領域及びリードアウト領域を備える記録層を備え、リードイン領域及びリードアウト領域の位置が所定の固定位置に配置され、ユーザデータ以外のデータが、ユーザデータがユーザデータ領域に記録されて残った領域に記録されることを特徴とする再生専用情報記録媒体。
【請求項２５】
前記記録媒体は複数層記録層を持ち、ユーザデータは記録層に順次に記録され、残り領域は、ユーザデータが最後に記録された記録層のうち一つにあることを特徴とする請求項２４に記載の媒体。
【請求項２６】
ダミーデータは、残り領域に記録されることを特徴とする請求項２４に記載の媒体。
【請求項２７】
ユーザデータの記録終了位置に関する情報が、残り領域に記録されることを特徴とする請求項２４に記載の媒体。
【請求項２８】
ダミーデータの記録開始位置に関する情報が、残り領域に記録されることを特徴とする請求項２６に記載の媒体。
【請求項２９】
ユーザデータの記録終了位置に関する情報が、リードイン領域に記録されることを特徴とする請求項２４に記載の媒体。
【発明の詳細な説明】
【技術分野】
【０００１】
本発明は少なくとも一つの情報保存層を持ち、他の種類の情報記録媒体との一貫性を考慮して、各情報保存層のリードイン領域、リードアウト領域及びユーザデータ領域のレイアウト構造が定められた再生専用の情報記録媒体、データの記録／再生方法及び装置に関する。
【背景技術】
【０００２】
一般的に情報記録媒体は、非接触式で情報を記録／再生する光ピックアップ装置の情報記録媒体として広く採用され、情報記録媒体の一種である光ディスクは、情報記録容量によって、コンパクトディスク（ＣＤ）、デジタル多機能ディスク（ＤＶＤ）に区分される。そして、記録、消去及び再生が可能な光ディスクには、６５０ＭＢ  ＣＤ−Ｒ、ＣＤ−ＲＷ、４．７ＧＢ  ＤＶＤ＋ＲＷなどがある。さらに記録容量が２０ＧＢ以上のＨＤ−ＤＶＤも開発されている。
【０００３】
このように情報記録媒体は、益々記録容量が増加する方向に開発されつつある。記録容量を増加させる方法には、代表的に記録光源の波長を短波長化し、対物レンズの開口数を高開口数化する方法がある。その他に、情報保存層を複数層で構成する方法がある。複数層の情報保存層を持つＤＶＤ−ＲＯＭについて、特許文献１に開示されている。
【０００４】
米国特許ＵＳ５，８８１，０３２号明細書に開示された２層情報保存層を持つディスクのセクターアドレス構造が図１Ａに図示されている。このディスクには、第１情報保存層Ｌ１及び第２情報保存層Ｌ２が備わり、各情報保存層には、リードイン領域１ａ、２ａ及びリードアウト１ｂ、２ｂが備わる。前記第１情報保存層Ｌ１では、ディスク内周Ｒｉｎから外周Ｒｏｕｔ方向に行くほどセクターアドレスＸが増加し、第２情報保存層Ｌ２では、ディスク外周Ｒｏｕｔからディスク内周Ｒｉｎへ行くほどセクターアドレスＸ’が増加する。
【０００５】
一方、２層以上の情報保存層を持つ複数層光ディスクは、ディスクに記録された情報を再生する方向によって、ＯＴＰ（オポジットトラックパス）とＰＴＰ（パラレルトラックパス）とに分けられる。ＯＴＰは、図１Ｂに示すように、前記第１情報保存層Ｌ１の内周Ｒｉｎから外周Ｒｏｕｔ方向へ再生が行われ、次いで、第２情報保存層Ｌ２の外周Ｒｏｕｔから内周Ｒｉｎ方向へ再生が行われる。言い換えれば、ＯＴＰは、トラックスパイラル方向が各情報保存層ごとに交互に逆方向に形成される類型をいう。また、図１Ｃは、ＯＴＰの場合に第１ないし第４情報保存層Ｌ１、Ｌ２、Ｌ３、Ｌ４を持つ複数層光ディスクを図示したものである。ここで、前記第１ないし第４情報保存層Ｌ１、Ｌ２、Ｌ３、Ｌ４にはディスクの内周領域と外周領域とに交互に第１ないし第４リードイン領域１ａ、２ａ、３ａ、４ａと第１ないし第４リードアウト領域１ｂ、２ｂ、３ｂ、４ｂとが備わる。このような４層光ディスクの再生方向を見れば、第１情報保存層Ｌ１の内周Ｒｉｎから外周Ｒｏｕｔに、次いで、第２情報保存層Ｌ２の外周Ｒｏｕｔから内周Ｒｉｎに、第３情報保存層Ｌ３の内周Ｒｉｎから外周Ｒｏｕｔに、第４情報保存層Ｌ４の外周Ｒｏｕｔから内周Ｒｉｎに再生される。
【０００６】
図２は、ＰＴＰ類型の２層光ディスクを図示したものであり、第１情報保存層Ｌ１の内周Ｒｉｎから外周Ｒｏｕｔ方向に情報が再生され、次いで、第２情報保存層Ｌ２の外周から内周側に情報が再生される。言い換えれば、トラックスパイラル方向が各情報保存層ごとに同一に形成される類型をいう。ここで、前記第１情報保存層Ｌ１の内周側に第１リードイン領域１ａが、外周側に第１リードアウト領域１ｂが備わり、前記第２情報保存層Ｌ２の内周側に第２リードイン領域２ａが、外周側に第２リードアウト領域２ｂが備わる。
【０００７】
第１ないし第４リードイン領域１ａ、２ａ、３ａ、４ａとリードアウト領域１ｂ、２ｂ、３ｂ、４ｂとは、ディスクに関する情報を含む。記録可能なディスクの場合、第１ないし第４リードイン領域及びリードアウト領域１ａないし４ｂには、記録に関連した色々な条件が共に記録される。したがって、これらリードイン領域及びリードアウト領域に記録された情報を再生して初めてユーザデータを正常に記録または再生できる。
【０００８】
このような複数層の情報記録媒体に記すべき情報の容量が、複数層の情報保存層全体的に使用可能な情報容量に比べて少ない時、前記複数層の情報保存層のうち少なくとも一つの情報保存層に一部の残り空間が生じる。
【０００９】
このようにデータが記録されていない領域をどう処理するかが、色々な種類の情報記録媒体に対して統一的であり、かつ一貫性のあるように定められる必要がある。参考までに、図３Ａは、記録可能な１層情報記録媒体であり、図３Ｂは、記録可能な２層情報記録媒体であり、リードイン領域、リードアウト領域及びユーザデータ領域の位置または容量が固定されている。
【００１０】
一方、図４に示すように、第１情報保存層Ｌ１のデータ領域全体にわたって情報が記録され、第２情報保存層Ｌ２のデータ領域の一部に情報が記録される。ここで、光が第１情報保存層及び第２情報保存層を通過する時、第１情報保存層では記録された部分Ｌ１Ｒを通過し、第２情報保存層では情報が記録されていない部分Ｌ２Ｎを通過するか、第１及び第２情報保存層の両側で情報が記録された部分Ｌ１Ｒ、Ｌ２Ｒを通過する場合がある。このように、光が通過する領域の再生条件が異なれば、再生特性に影響を及ぼす恐れがある。
【００１１】
前記のように情報記録媒体のレイアウトを定める時、他種の情報記録媒体との一貫性及び統一性を考慮して、複数層の情報保存層に対する再生特性を考慮する必要がある。
【発明の開示】
【発明が解決しようとする課題】
【００１２】
本発明は、前記した問題点を鑑みてなされたものであり、正規容量より少ないユーザデータが記録される時、リードイン領域、ユーザデータ領域及びリードアウト領域のレイアウト構造が規定された情報記録媒体、この情報記録媒体に／からデータを記録／再生する方法及び装置を提供するところに目的がある。
【課題を解決するための手段】
【００１３】
前記した目的を達成するために、本発明による情報記録媒体は、少なくとも一つの情報保存層を持つ再生専用情報記録媒体において、少なくとも一つの情報保存層を持つ再生専用情報記録媒体において、前記少なくとも一つの情報保存層それぞれは、リードイン領域、ユーザデータを含むユーザデータ領域及びリードアウト領域を備え、前記リードイン領域及びリードアウト領域の位置が所定の固定位置に配置されており、前記記録媒体上に記録されたユーザデータが記録媒体の正規容量より少なく記録される時、ユーザデータが記録されて残った領域にはユーザデータ以外のデータが記録されることを特徴とする。
【００１４】
前記情報保存層が複数層の記録層を持ち、データが順次に記録され、記録されて残った領域はユーザデータが最後に記録された記録層にあることを特徴とする。
【００１５】
前記ユーザデータが記録されて残った領域に、ダミーデータが記録される。
【００１６】
前記ユーザデータが記録されて残った領域に、ユーザデータの記録終了位置情報が記録されることが望ましい。
【００１７】
前記した目的を達成するために、本発明による情報記録媒体は、少なくとも一つの情報保存層を持つ再生専用情報記録媒体において、前記少なくとも一つの情報保存層それぞれは、リードイン領域、ユーザデータを含むユーザデータ領域及びリードアウト領域を備え、前記リードイン領域及びリードアウト領域の位置が所定の固定位置に配置されており、記録媒体に記録されたユーザデータが正規容量より少なく記録される時、ユーザデータが記録されて残った領域がミラー領域として維持されることを特徴とする。
【００１８】
前記した目的を達成するために、本発明による情報記録媒体は、複数の情報保存層を持つ再生専用情報記録媒体において、前記複数の情報保存層それぞれは、リードイン領域、ユーザデータを含むユーザデータ領域及びリードアウト領域を備え、記録媒体に記録されたユーザデータが正規容量より少なく記録される時、前記複数の情報保存層のうち再生順序上最後の情報保存層にあるリードアウト領域の位置が可変的になり、残りの他のリードイン領域及び／またはリードアウト領域の位置が対応する所定領域に固定されることを特徴とする。
【００１９】
前記した目的を達成するために、本発明による方法は、少なくとも一つの情報保存層を持つ再生専用情報記録媒体に／からデータを記録／再生する方法において、前記少なくとも一つの情報保存層それぞれは、リードイン領域、ユーザデータ領域及びリードアウト領域を備え、前記リードイン領域とリードアウト領域との位置及び容量を固定させるステップと、前記記録媒体に記録されたユーザデータが正規容量より少なく記録される時、ユーザデータが記録されて残った領域にユーザデータ以外のデータを記録するか、ミラー領域に維持させるステップと、を含むことを特徴とする。
【００２０】
前記した目的を達成するために、本発明による装置は、リードイン領域、ユーザデータ領域及びリードアウト領域を備える一つ以上の記録層を持つ再生専用情報記録媒体に／からデータを記録／再生する装置を提供する。前記情報記録媒体にビームを照射し、前記情報記録媒体から反射されたビームを受光するピックアップと、前記情報記録媒体で反射されたビームを前記ピックアップを通じて受けて信号処理する記録／再生信号処理部と、前記リードイン領域とリードアウト領域との所定の固定位置及び固定容量を伝送させ、記録媒体に記録されたユーザデータが正規容量より少なく記録される時、ユーザデータが記録されて残った領域にユーザデータ以外のデータを記録するか、ミラー領域として維持されるようにピックアップを制御する制御部とを備えることを特徴とする。
【００２１】
本発明の付加的な側面及び／または長所は、後述する説明で部分的に記述され、一部は詳細な説明から明確になるか、または本発明の実施により習得される。
【発明の効果】
【００２２】
本発明による情報記録媒体は、再生専用の情報記録媒体に対する物理的レイアウトを提供する。本発明による情報記録媒体は、リードイン領域、データ領域及びリードアウト領域を備える少なくとも一つの情報保存層を備え、正規容量より少ないデータを記録する場合にデータが記録されて残った領域に対するレイアウトを提示することによって、他の種類の情報記録媒体との一貫性及び再生条件の統一化を達成する。
【００２３】
本発明のいくつかの実施形態が図示されて説明されたが、当業者によって本発明の原則と思想、特許請求の範囲及びその均等範囲に定義された範囲を逸脱せずにこれら実施形態を変化できる。
【発明を実施するための最良の形態】
【００２４】
添付された図面に図示された例に対して、本発明の実施形態に対する参照が詳細になり、類似した要素に類似した参照番号が付けられる。
【００２５】
本発明の一実施形態による情報記録媒体は、少なくとも一つの情報保存層を備えた再生専用情報記録媒体であって、図５Ａを参照するに、リードイン領域２０、データ領域３０及びリードアウト領域４０を備える。ここで、本発明によってリードイン領域２０とリードアウト領域４０との位置及び容量が固定されている。また、データ領域３０にデータの記録可能な容量が定められているが、この容量を正規容量という。ところが、データ領域３０に記録されるユーザデータの容量が前記正規容量より小さいことがある。このような場合、ユーザデータが記録されて残った領域３５にはユーザデータと区別されるデータが記録される。
【００２６】
また、図５Ｂ及び図５Ｃに示すように、本発明による情報記録媒体が複数の情報保存層Ｌ０、Ｌ１を持ち、各情報保存層は、リードイン領域２０−Ｌ０、２０−Ｌ１、データ領域３０−Ｌ０、３０−Ｌ１及びリードアウト領域４０−Ｌ０、４０−Ｌ１を備え、各情報保存層Ｌ０、Ｌ１ごとにリードイン領域及びリードアウト領域２０−Ｌ０、２０−Ｌ１、４０−Ｌ０、４０−Ｌ１の位置及び容量が固定されている。そして、ユーザデータが正規容量より少なく記録されて最後の情報保存層に記録されて残った領域３５がある時、この残り領域３５にユーザデータと区別されるデータが記録できる。
【００２７】
例えば、図５Ｂには、第１及び第２情報保存層Ｌ０、Ｌ１を持つ情報記録媒体が図示されている。図５Ｂは、ＯＴＰ型であって、トラックスパイラル形成方向が記録媒体の内周から外周に向かう情報記録媒体を図示したものである。一方、図５Ｃは、ＯＴＰ型であって、トラックスパイラル方向が記録媒体の外周から内周に向かう情報記録媒体を図示したものである。このように本発明による情報記録媒体は、スパイラル形成方向に関係なく適用でき、図面に示されていないが、ＰＴＰ型の情報記録媒体にも適用できるということは言うまでもない。さらに、付加層が使われうるということはもとよりである。
【００２８】
前記第１及び第２情報保存層Ｌ０、Ｌ１には、それぞれリードイン領域２０−Ｌ０、２０−Ｌ１、データ領域３０−Ｌ０、３０−Ｌ１及びリードアウト領域４０＿Ｌ０、４０−Ｌ１を備え、前記リードイン領域２０−Ｌ０、２０−Ｌ１及びリードアウト領域４０＿Ｌ０、４０−Ｌ１の位置及び容量が固定されている。そして、正規容量より少ないユーザデータが記録される時、第１情報保存層Ｌ０または第２情報保存層Ｌ１にデータが記録されて残った領域３５が生じることがある。ここで、第１情報保存層Ｌ０に／からデータが記録／再生されてもよく、第２情報保存層Ｌ１に／からデータが記録／再生されてもよい。データの記録及び再生順序上最後の情報保存層にデータが記録されて残った領域３５が生じる。この残り領域３５にユーザデータとは異なるデータが記録される。
【００２９】
前記ユーザデータが記録されて残った領域３５に、例えば、ダミーデータが記録されるか、前記ユーザデータと異なるデータ、例えば、データの記録及び／または再生に必要なデータが記録される。
【００３０】
前記ダミーデータは何の意味もないデータであって、例えば００ｈ、ＦＦｈなどのようなパターンを持つデータでもあり、または、本発明の特徴によって他のデータでもありうる。また、前記データの記録及び／または再生に必要なデータは、例えば、テストのためのデータ、コピー防止情報、ユーザデータの記録終了位置情報またはデータの記録及び／または再生を管理するときに使われる他のデータでありうる。または、ユーザデータの記録終了位置情報がリードイン領域に記録される。特に、ユーザデータの最後の記録位置情報が最後に記録される情報保存層にあるリードイン領域に記録されることが必須ではないが、望ましい。さらに望ましくは、図５Ｂに示すように、リードイン領域２０−Ｌ１にあるディスク関連情報が記録される領域１５に記録されうる。
【００３１】
または、前記ユーザデータが記録される領域とダミーデータが記録される領域とを分離できる。このような場合に、ユーザデータが記録された領域の終了部分にデータの記録終了位置情報が記録され、ダミーデータが記録された領域の開始部分にダミーデータの記録開始位置情報などが記録されうる。
【００３２】
前記のように、リードイン領域とリードアウト領域との位置及び容量が固定的に規定されることによって、記録可能な情報記録媒体との一貫性を確保できる。特に、モバイル用で多く使われる小型の情報記録媒体については、大容量の記録媒体とは違ってユーザデータが記録されて残った領域にダミーデータや記録及び／または再生のためのデータを記録するとしても、マスタリング時間においてあまり差がないので有効に本発明を適用できる。
【００３３】
前記のようにユーザデータが記録されて残った領域にダミーデータやデータの記録及び再生に必要なデータを記録すれば、複数の情報保存層を持つ場合に各情報保存層がいずれもデータが記録された形態になるので、再生条件面で同じ条件を持つようになってデータ再生に有利な側面がある。
【００３４】
しかし、ユーザデータが記録されて残った領域３５にユーザデータと異なるデータを記録することが情報記録媒体の製造側面で不利ならば、図６Ａ及び図６Ｂに図示された本発明の実施形態のように、前記残り領域３５をミラー領域として形成してもよい。
【００３５】
次いで、本発明の他の実施形態による情報記録媒体は、図７に示すように複数の情報保存層Ｌ０、Ｌ１を持つ。各情報保存層はリードイン領域、データ領域及びリードアウト領域２０−Ｌ０、２０−Ｌ１、３０−Ｌ０、３０−Ｌ１、４０−Ｌ０、４０−Ｌ１を備える。前記情報記録媒体に正規容量より少量のデータが記録される時、データが最後に記録及び再生される情報保存層にデータが記録されて残った領域が、リードアウト領域４０−Ｌ１となる。
【００３６】
言い換えれば、前記複数の情報保存層のうちデータの再生（または記録）順序上最後の情報保存層にあるリードアウト領域４０−Ｌ１の位置が可変的になり、残りのリードイン領域及びリードアウト領域２０−Ｌ０、２０−Ｌ１、４０−Ｌ０の位置及び容量は固定される。
【００３７】
例えば、情報記録媒体が第１及び第２情報保存層Ｌ０、Ｌ１を持ち、前記第１及び第２情報保存層は、それぞれリードイン領域２０−Ｌ０、２０−Ｌ１、データ領域３０−Ｌ０、３０−Ｌ１及びリードアウト領域４０−Ｌ０、４０−Ｌ１を備える。例えば、前記第１情報保存層Ｌ０にデータが記録された後に第２情報保存層Ｌ１にデータが記録される時、前記第１情報保存層Ｌ０にあるリードイン領域２０−Ｌ０とリードアウト領域４０−Ｌ０と、第２情報保存層Ｌ１にあるリードイン領域２０−Ｌ１は位置及び容量が固定される一方、前記第２情報保存層Ｌ１にデータが記録されて残った領域にリードアウト領域が位置する。ここでは、第１情報保存層に／からデータが記録／再生されると説明したが、第２情報保存層に／からデータが記録／再生されてもよく、この場合には、第１情報保存層にあるリードアウト領域の位置が可変的になる。
【００３８】
このようにデータの再生順序上最後の情報保存層にあるリードアウト領域の位置が可変的である時、ユーザデータが最後に記録された位置情報が該当情報保存層にあるリードイン領域に記録されることが、必須ではないが、望ましい。さらに望ましくは、ユーザデータが最後に記録された位置情報が、リードイン領域にあるディスク関連情報が記録される領域に記録される。
【００３９】
本発明による再生専用情報記録媒体に情報を記録する方法は、リードイン領域とリードアウト領域との位置を固定させ、ユーザデータが正規容量より少なく記録される時、ユーザデータが記録されて残った領域にユーザデータ以外のデータを記録するか、ミラー領域とする。
【００４０】
ユーザデータ以外のデータは、ダミーデータまたはユーザデータの記録終了位置情報を表すデータでありうる。
【００４１】
または、複数の情報保存層のうち再生順序上最後の情報保存層にあるリードアウト領域の位置を可変させ、残りの他のリードイン領域及びリードアウト領域の位置を固定させる方法がある。
【００４２】
次いで、本発明による情報記録媒体のデータ記録／再生装置、すなわち、ドライブは、図８を参照するに、ピックアップ５０、記録／再生信号処理部６０及び制御部７０を備えて構成される。
【００４３】
さらに具体的に、記録／再生装置は光を照射するレーザーダイオード５１、レーザーダイオード５１から照射される光を平行にするコリメートレンズ５２、入射光の進行経路を変換するビームスプリッタ５４、ビームスプリッタ５４を通過した光を情報記録媒体Ｄに集束させる対物レンズ５６及び光検出器５７を備える。
【００４４】
前記情報記録媒体Ｄで反射された光がビームスプリッタ５４により反射されて、光検出器、例えば、４分割光検出器５７に受光される。光検出器５７に受光された光は、演算回路部５８を経て電気信号に変換されてＲＦ信号、すなわち、サム信号に検出されるチャンネル１  Ｃｈ１と、プッシュプル方式で信号を検出する差動信号チャンネルＣｈ２に出力される。
【００４５】
制御部７０は、リードイン領域とリードアウト領域との位置及び容量を固定させ、ユーザデータが正規容量より少なく記録される時、ユーザデータが記録されて残った領域は、ユーザデータ以外のデータが記録されるか、ミラー領域になるようにピックアップ５０を制御する。
【００４６】
ピックアップ５０は、ユーザデータが記録されて残った領域にダミーデータを記録するか、ユーザデータの記録終了位置情報を記録する。また、前記ダミーデータの記録開始位置情報を記録できる。
【００４７】
または、制御部７０は、複数の情報保存層のうち再生順序上最後の情報保存層にあるリードアウト領域の位置を可変的にし、残りの他のリードイン領域及びリードアウト領域の位置を固定させることによりピックアップ５０を制御する。
【００４８】
このように記録されたデータを再生するために、前記情報記録媒体Ｄから反射されたビームが、対物レンズ５６及びビームスプリッタ５４を通じて光検出器５７に入力される。光検出器５７に入力された信号は、演算回路部５８により電気信号に変換されてＲＦ信号に出力される。
【００４９】
本発明による情報記録媒体は、再生専用情報記録媒体に適用でき、１層以上の情報保存層を持つ記録媒体に適用できる。
【図面の簡単な説明】
【００５０】
本発明のこれら及び／または他の特徴及び長所は、添付された図面と結合された実施形態の説明から明白になり、さらに容易に理解される。
【図１Ａ】従来のＤＶＤ−ＲＯＭの２層光ディスクのセクターアドレス構造を示す図である。
【図１Ｂ】従来のＤＶＤ−ＲＯＭの２層光ディスクで、ＯＴＰの場合にリードイン及びリードアウト領域の配置構造を示す図である。
【図１Ｃ】第１ないし第４記録層を持つ従来のＯＴＰ多重光ディスクを示す図である。
【図２】従来のＰＴＰの２層光ディスクを示す図である。
【図３Ａ】従来の断層及び２層の記録可能な情報記録媒体のレイアウトを示す図である。
【図３Ｂ】従来の断層及び２層の記録可能な情報記録媒体のレイアウトを示す図である。
【図４】従来の２層の情報記録媒体の一部領域にデータが記録された場合に光が入射される領域を示す図である。
【図５Ａ】本発明の一実施形態による情報記録媒体のレイアウトを示す図である。
【図５Ｂ】本発明の一実施形態による情報記録媒体のレイアウトを示す図である。
【図５Ｃ】本発明の一実施形態による情報記録媒体のレイアウトを示す図である。
【図６Ａ】本発明の一実施形態による情報記録媒体の他の変形例を示す図である。
【図６Ｂ】本発明の一実施形態による情報記録媒体の他の変形例を示す図である。
【図７】本発明の他の実施による情報記録媒体のレイアウトを示す図である。
【図８】本発明による情報記録媒体に／からデータを記録／再生する装置を概略的に示す図である。
【図１Ａ】
2007521605.tif 000003
【図１Ｂ】
2007521605.tif 000004
【図１Ｃ】
2007521605.tif 000005
【図２】
2007521605.tif 000006
【図３Ａ】
2007521605.tif 000007
【図３Ｂ】
2007521605.tif 000008
【図４】
2007521605.tif 000009
【図５Ａ】
2007521605.tif 000010
【図５Ｂ】
2007521605.tif 000011
【図５Ｃ】
2007521605.tif 000012
【図６Ａ】
2007521605.tif 000013
【図６Ｂ】
2007521605.tif 000014
【図７】
2007521605.tif 000015
【図８】
2007521605.tif 000016
【国際調査報告】
2007521605.tif 000017